(57)【要約】      （修正有）【課題】シートや背もたれ等における位置や角度の調整操作が簡単で、位置決めの確実性に優れたラウンジチェアシート位置決め装置を提供する。【解決手段】ホルダー１と、位置決めブロック２と、調整バー３と、組立機構４とを備えたラウンジチェアシート位置決め装置である。ホルダー１は２つのほぼ対応した座体１１、１２を有し、この２つの座体１１、１２は相互に枢着すると共にラウンジチェアの棒体に掛合可能な掛合部１１２、１２２がそれぞれ設けてある。また、２つの座体１１、１２の間に弾性部材１１５が設けてあり、これらを平時に弾性部材１１５で支えて相互に開いた状態を保持し、ホルダー１の各掛合部１１２、１２２により棒体をきつく締めて位置決めを行う場合は調整バー３を回転させるようにしている。【選択図】図１
0003147881.tif 000002
【実用新案登録請求の範囲】
【請求項１】
２つのほぼ対応した座体を相互に枢着すると共に、ラウンジチェアに設けた棒体に掛合可能な掛合部及び貫通穴をそれぞれ設け、且つ２つの座体の間に弾性部材を設けて平時に弾性部材で支えて相互に開いた状態を保持するようにし、並びにラウンジチェアのシートと接合可能な接合部を設けたホルダーと、
前記座体上に設けると共に、前記ホルダーの貫通穴に対応する中央の位置に貫通穴を設け、且つ位置決め凸体を外側に突設する位置決めブロックと、
接合座を有すると共に該接合座にグリップを連設し、且つ前記貫通穴に対応する接合座の位置に貫通穴を設け、しかも片側の位置決めブロックに対応する位置に位置決め溝を環設すると共に、該位置決め溝は対応して開閉する異なる高さの位置決め部を有し、且つ位置決め部の間に移動ガイド斜面が設けてある調整バーと、
接合バーを前記ホルダーと前記位置決めブロックおよび前記調整バーの各貫通穴に貫通する組立を主に有すると共に、組立後に前記調整バーの位置決め溝を位置決めし、位置決めブロックに密着させることができる組立機構とを備え、
前記ホルダーの各掛合部を前記棒体に掛合すると共に前記調整バーの比較的低い位置の前記位置決め部を位置決めブロックの位置決め凸体に接合させる場合に、ホルダーの２つの掛合部は、前記弾性部材の弾力によって相互に開いた状態を保持して棒体を緊密に挟まないようにすることを可能とすると共に、前記調整バーを回転させる場合、前記接合座の位置決め溝を位置決めブロックに対応させつつ回転させるようにし、且つ位置決めブロックを前記移動ガイド斜面に沿ってもう１つの比較的高い位置の位置決め部まで移動させることで、ホルダーの各掛合部が棒体をきつく締めて位置決めを可能としたことを特徴とするラウンジチェアシート位置決め装置。
【請求項２】
前記接合座の反対側に凹部を設け、また前記組立機構は２つの接合バーを有すると共に軸受とパッドとをさらに備え、
１つの接合バーは前記ホルダーと位置決めブロックおよび前記調整バーの各貫通穴をそれぞれ貫通すると共に、その後端は前記座体に当接し、且つ前記軸受、前記パッドの中央に貫通穴をそれぞれ有して各貫通穴を接合バーに掛合させ、
さらに前記接合座の凹部内に収容した軸受を凹部の内壁に密着させ、
またもう１つの接合バーの前端は接合部を有すると共に前記接合バーと接合し、
且つ前記パッドに緊合可能な緊合部を有し、
組立後に調整バーの前記位置決め溝を位置決めしつつ位置決めブロックに密着させるようにし、調整バーを回転させるときに軸受によって摩擦力を減少させることができるよう構成したことを特徴とする請求項１に記載のラウンジチェアシート位置決め装置。
【請求項３】
前記組立機構は、前記調整バーにおける前記接合座の凹部の外側に被せる蓋体をさらに含む請求項２に記載のラウンジチェアシート位置決め装置。
【考案の詳細な説明】
【技術分野】
【０００１】
本考案は、主にラウンジチェアシートの角度を調整可能とするためのもので、この調整が便利に且つ確実に行えるラウンジチェアシート位置決め装置に関するものである。
【背景技術】
【０００２】
公知のラウンジチェアは通常、台座上に棒体が設けられ、この棒体上に棒体上を移動して動作可能な位置決め装置が被せてある。この位置決め装置を適用したシートを調整移動する場合、位置決め装置を棒体に沿って所定の位置まで移動させた後、前記位置決め機構を棒体に固定してシートの位置を決めることができる。また、前記シートを移動するときに、通常、背もたれを連動させることによって、通常座る角度またはもたれる角度を調整し、使用することができる。
【考案の開示】
【考案が解決しようとする課題】
【０００３】
しかし、公知の位置決め装置の多くは、強力な締め付けが可能な棒状の締付つまみ体を回転させてきつく締める方式で固定がなされるが、この回転させてきつく締める方式は、操作が不便で、回転させてきつく締めていないときに、位置決めが確定しないという欠陥があった。
【０００４】
そこで、本考案の目的は、操作が簡単で、位置決めの確実性が比較的優れたラウンジチェアシート位置決め装置を提供することである。
【課題を解決するための手段】
【０００５】
本考案は、ホルダーと、位置決めブロックと、調整バーと、組立機構とを備えたものである。前記ホルダーは、２つのほぼ対応した座体を有し、この２つの座体は相互に枢着すると共にラウンジチェア棒体に掛合可能な掛合部がそれぞれ設けてある。また、２つの座体には貫通穴が設けられると共に２つの座体の間に弾性部材が設けてあり、２つの座体を平時に弾性部材で支えて相互に開いた状態を保持するようにしている。また、座体には、シートと接合可能な接合部を設ける。さらに、位置決めブロックは座体上に設け、前記貫通穴に対応する中央の位置に貫通穴を設け、且つ位置決め凸体を外側に突設する。また、調整バーは接合座を有し、接合座にグリップを連設する。また、前記貫通穴に対応する前期接合座の位置に貫通穴を設け、片側の位置決めブロックに対応する位置に位置決め溝を環設する。前記位置決め溝は対応して開閉する異なる高さの位置決め部を有し、位置決め部の間に移動ガイド斜面が設けてある。
【０００６】
また、前記接合座の反対側には凹部が設けてある。また、前記組立機構は、２つの接合バーと、軸受と、パッドと、蓋体とを備える。１つの接合バーは前記ホルダー、位置決めブロック、および調整バーの貫通穴を貫通し、その後端は座体に当接し、且つ前端は螺孔を有する。また、軸受、パッドの中央には貫通穴を有し、前記貫通穴は接合バーに掛合し、前記接合座の凹部内に収容した軸受を凹部の内壁に密着させる。また、もう１つの接合バーの前端は接合部を有し、前記接合バーと螺合する。且つ、パッドに緊合可能な緊合部を有し、組立後に調整バーの位置決め溝を位置決めし、位置決めブロックに密着させることができる。
【０００７】
また、前記蓋体は前記接合座の外側に被せる。
【考案の効果】
【０００８】
よって本考案は、本考案のホルダーの前記掛合部を前記シートの前記棒体に掛合することができ、前記調整バーの比較的低い位置の前記位置決め部を前記位置決めブロックの位置決め凸体に接合させるときに、ホルダーの２つの掛合部は、前記弾性部材の弾力によって相互に開いた状態を保持し、２つの掛合部が棒体を緊密に挟まないようにし、シートの移動時に、位置決め装置が棒体に沿って移動できるようにする。また、ホルダーを所定の位置まで移動させた後に、調整バーの前記グリップを握持し、調整バーを回転させ、前記接合座の前記位置決め溝を位置決めブロックに対応させ回転させることができ、且つ、位置決めブロックを前記移動ガイド斜面に沿ってもう１つの比較的高い位置の位置決め部まで移動させ位置決めすることができる。このように本考案は、ホルダーの掛合部が力を受けて棒体を挟むと共にきつく締めて位置決めの効果をもたせるようにすることができ、調整が便利で、しかも位置決めの安定性が向上する比較的優れた効果をもたせることができる。
【考案を実施するための最良の形態】
【０００９】
図１〜５に示すように、本考案の位置決め装置は、ホルダー１と、位置決めブロック２と、調整バー３と、組立機構４とを備える。ホルダー１は、２つのほぼ対応した座体１１、１２を有し、２つの座体１１、１２は枢着部１１１、１２１がそれぞれ設けてあり、枢着部材１１４によって枢着する。且つ、ラウンジチェアに設けた棒体５に掛合可能な掛合部１１２、１２２がそれぞれ設けてある。また、２つの座体１１、１２には貫通穴１１３、１２３が設けてあると共に、２つの座体１１、１２の間に弾性部材１１５が設けてあり、２つの座体１１、１２を平時に弾性部材１１５で支えて相互に開いた状態を保持するようにしている。また、座体１１には、シート６と接合可能な接合部１１６を設ける。
【００１０】
前記位置決めブロック２は、前記座体１２上に設け、前記貫通穴１２３に対応する中央の位置に貫通穴２１を設け、且つ位置決め凸体２２を外側に突設する。
【００１１】
前記調整バー３は接合座３１を有し、接合座３１にグリップ３２を連設する。また、前記貫通穴２１に対応する接合座３１の位置に貫通穴３１１を設け、片側の位置決めブロック２に対応する位置に位置決め溝３１２を環設する。位置決め溝３１２は対応して開閉する異なる高さの位置決め部３１３、３１４を有し、位置決め部３１３、３１４の間に移動ガイド斜面３１５が設けてある。また、接合座３１の反対側には凹部３１６が設けてある。
【００１２】
前記組立機構４は、２つの接合バー４１、４２と、軸受４３と、パッド４４と、蓋体４５とを備える。１つの接合バー４１は前記ホルダー１、前記位置決めブロック２、および前記調整バー３の前記貫通穴１１３、１２３、２１、３１１を貫通し、後端は前記座体１１に当接し、且つ前端は螺孔４１１を有する。また、軸受４３、パッド４４の中央には貫通穴４３１、４４１を有し、貫通穴４３１、４４１は接合バー４１に掛合し、前記接合座３１の凹部３１６内に収容した軸受４３を凹部３１６の内壁に密着させる。また、もう１つの接合バー４２の前端は接合部４２１を有し、前記接合バー４１と螺合する。且つパッド４４に緊合可能な緊合部４２２を有し、組立後に調整バー３の位置決め溝３１２を位置決めし、位置決めブロック２に密着させることができる。また、蓋体４５は接合座３１の凹部３１６の外側に被せ、全体を纏めるように外観の一体感をもたせることができる。
【００１３】
図４〜７に示すように、本考案の前記ホルダー１の前記掛合部１１２、１２２は、前記シートの棒体５に掛合するが、前記調整バー３の比較的低い位置の前記位置決め部３１３を前記位置決めブロック２の前記凸体２２に接合させるときに、ホルダー１の２つの掛合部１１２、１２２は、前記弾性部材１１５の弾力によって相互に開いた状態を保持して、２つの掛合部１１２、１２２が棒体５を緊密に挟まないようにし、前記シート６の移動時に、位置決め装置が棒体５に沿って移動できるようにする。
【００１４】
図４、図８〜図１０に示すように、本考案の位置決め装置を所定の位置まで移動させた後に、前記調整バー３の前記グリップ３２を握持して調整バー３を回転させ、前記接合座３１の前記位置決め溝３１２を前記位置決めブロック２に対応させて回転させることができる。且つ、位置決めブロック２を前記移動ガイド斜面３１５に沿ってもう１つの比較的高い位置の前記位置決め部３１４まで移動させ位置決めすることができる。並びに、前記組立機構４の２つの前記接合バー４１、４２の構成する長さは変わらないため、前記ホルダー１の前記掛合部１２２が力を受けてずれ、もう１つの掛合部１２２が前記棒体５をきつく締めて、位置決めの効果をもたせるようにすることができる。このように本考案は、ラウンジチェアシート位置決め装置として、調整が便利で、しかも位置決めの安定性が向上する比較的優れた効果をもたせることができる。
【００１５】
また、本考案は、前記軸受４３の設計により、前記調整バー３を回転させるときに、軸受４３が前記接合座３１の前記凹部３１６の内壁に当接して回転することができ、摩擦を減少し、操作のスムーズさを増進することができる。
【００１６】
前記実施例は本考案の例であり、本考案を制限するものではなく、本考案は本考案の主旨内で変更および修正することができる。
【図面の簡単な説明】
【００１７】
【図１】本考案の位置決め装置の分解図である。
【図２】本考案の調整バーのもう１つの概要図である。
【図３】本考案の位置決め装置の組立概要図である。
【図４】本考案の位置決め装置をラウンジチェアに設けた調整概要図である。
【図５】本考案の図３のＡ−Ａに対応する断面図であり、２つの挟体である座体の展開状態を示す。
【図６】本考案の対応する２つの挟体である座体の展開状態の位置決め溝、位置決めブロックの位置概要図である。
【図７】本考案の対応する２つの挟体である座体の展開状態と２つの座体が棒体をきつく締めていない概要図である。
【図８】本考案の２つの挟体である座体を合わせた状態の動作断面図である。
【図９】本考案の２つの挟体である座体を合わせた状態の位置決め溝、位置決めブロックの位置概要図である。
【図１０】本考案の２つの挟体である座体を合わせた状態と２つの座体が棒体をきつく締めた概要図である。
【符号の説明】
【００１８】
１  ホルダー
１１  座体
１１１  枢着部
１１２  掛合部
１１３  貫通穴
１１４  枢着部材
１１５  弾性部材
１１６  接合部
１２  座体
１２１  枢着部
１２２  掛合部
１２３  貫通穴
２  位置決めブロック
２１  貫通穴
２２  位置決め凸体
３  調整バー
３１  接合座
３１１  貫通穴
３１２  位置決め溝
３１３  位置決め部
３１４  位置決め部
３１５  斜面
３１６  凹部
３２  グリップ
４  組立機構
４１  接合バー
４１１  螺孔
４２  接合バー
４２１  接合部
４２２  緊合部
４３  軸受
４３１  貫通穴
４４  パッド
４４１  貫通穴
４５  蓋体
５  棒体
６  シート
【図１】
0003147881.tif 000003
【図２】
0003147881.tif 000004
【図３】
0003147881.tif 000005
【図４】
0003147881.tif 000006
【図５】
0003147881.tif 000007
【図６】
0003147881.tif 000008
【図７】
0003147881.tif 000009
【図８】
0003147881.tif 000010
【図９】
0003147881.tif 000011
【図１０】
0003147881.tif 000012